(57)【要約】【課題】  ワイヤロスが少なく、岸にウインチなどの構造物を設置する必要がなく、比較的簡単に浮設ワイヤを設置でき、かつ比較的簡単に浮設ワイヤの張力を調整できる浮設ワイヤ調整装置および浮設ワイヤ設置方法を提供することを課題とする。【解決手段】  浮設ワイヤ調整装置３ａは、第一係合部３００ａを持つフロート３０ａと、フロート３０ａから浮力を受け、浮設ワイヤ２が接続される浮設ワイヤ用接続部３１０ａと、第二係合部３１２ａとを持つフロート側連結具３１ａと、水底に沈設されるウェイト３２ａと、ウェイト３２ａに接続され、第三係合部を持つウェイト側連結具３３ａと、水上から、第一係合部３００ａ、第二係合部３１２ａ、第三係合部の順に係合する調整ワイヤ３４ａと、を備える。水上から調整ワイヤ３４ａを弛張させることにより浮設ワイヤ２を調整する。【選択図】  図２
2005095250.tif 000002
【特許請求の範囲】
【請求項１】
水面上に浮上し第一係合部を持つフロートと、
該フロートから浮力を受け、水中または水面上に浮設される浮設ワイヤが接続される浮設ワイヤ用接続部と、第二係合部とを持つフロート側連結具と、
水底に沈設されるウェイトと、
該ウェイトに接続され、第三係合部を持つウェイト側連結具と、
水上から、該第一係合部、該第二係合部、該第三係合部の順に係合する調整ワイヤと、
を備えてなり、
水上から、前記調整ワイヤを弛張させることにより、前記浮設ワイヤを調整することを特徴とする浮設ワイヤ調整装置。
【請求項２】
前記フロート側連結具には、補助ウェイトが接続されている請求項１に記載の浮設ワイヤ調整装置。
【請求項３】
前記フロートと前記フロート側連結具との間には、スペーサが介装されている請求項１に記載の浮設ワイヤ調整装置。
【請求項４】
前記ウェイトは、人力で投下可能な複数の軽量ウェイトからなる請求項１に記載の浮設ワイヤ調整装置。
【請求項５】
水面上に浮上し第一係合部を持つフロートと、
該フロートから浮力を受け、浮設ワイヤ用接続部と、第二係合部とを持つフロート側連結具と、
水底に沈設されるウェイトと、
該ウェイトに接続され、第三係合部を持つウェイト側連結具と、
水上から、該第一係合部、該第二係合部、該第三係合部の順に係合する調整ワイヤと、
を備えてなる一対の浮設ワイヤ調整装置の前記浮設ワイヤ接続部同士の間に介装された浮設ワイヤを、水中または水面上に設置する浮設ワイヤ設置方法であって、
一対の前記浮設ワイヤ調整装置のうち、一方の該浮設ワイヤ調整装置の前記ウェイトを、水中に投下する始点ウェイト投下工程と、
該ウェイトを始点として該ウェイトに近い方から順に前記浮設ワイヤを水中に投下するワイヤ投下工程と、
一対の該浮設ワイヤ調整装置のうち、他方の該浮設ワイヤ調整装置の該ウェイトを、水中に投下する終点ウェイト投下工程と、
一対の該浮設ワイヤ調整装置の前記調整ワイヤを、各々水上から弛張させることにより該浮設ワイヤの張力を調整する張力調整工程と、
を有することを特徴とする浮設ワイヤ設置方法。
【発明の詳細な説明】
【技術分野】
【０００１】
本発明は、例えばカヌー競技のコース区画などに用いられる浮設ワイヤの張力を調整する浮設ワイヤ調整装置および浮設ワイヤ設置方法に関する。
【背景技術】
【０００２】
カヌー競技などのコースは、海、湖、河川などに配置される。コース間の区画には、岸から固定された浮設ワイヤが用いられる（例えば、特許文献１参照）。図１０に、ダム湖に設置されたカヌー競技コースの模式図を示す。（ａ）は上面図、（ｂ）は側面図である。図に示すように、各々のコース１００は、縦ワイヤ１０１により区画されている。縦ワイヤ１０１の両端は、各々湖岸に設置されたウインチ１０２により、引っ張られている。ウインチ１０２により、縦ワイヤ１０１の張力が確保されている。
【０００３】
また、各々のコース幅を均等に保つため、各々の縦ワイヤ１０１同士は、横ワイヤ１０３により連結されている。横ワイヤ１０３は、縦ワイヤ１０１に対して、ほぼ垂直に配置されている。横ワイヤ１０３の両端は、各々湖岸に設置されたアンカー１０５により固定されている。
【特許文献１】実開平６−１９７７３号公報
【発明の開示】
【発明が解決しようとする課題】
【０００４】
縦ワイヤ１０１のうち、湖岸からコース１００始点までの区間Ａ１、および湖岸からコース１００終点までの区間Ａ２は、縦ワイヤ１０１固定のために設けられたものである。並びに、横ワイヤ１０３のうち、一方の湖岸から一番近いコース１００までの区間Ｂ１、および他方の湖岸から一番近いコース１００までの区間Ｂ２は、横ワイヤ１０３固定のために設けられたものである。言い換えると、区間Ａ１、Ａ２、Ｂ１、Ｂ２は、コース１００を区画するという縦ワイヤ１０１、横ワイヤ１０３本来の機能とは直接的には関係のない区間である。このため、区間Ａ１、Ａ２、Ｂ１、Ｂ２の分だけ、縦ワイヤ１０１、横ワイヤ１０３が無駄である。
【０００５】
また、縦ワイヤ１０１、横ワイヤ１０３を湖に設置するためには、予め湖岸にウインチ１０２およびアンカー１０５を別途設置しておく必要がある。この設置作業は煩雑である。
【０００６】
また、湖面の水位により、ウインチ１０２に加わる負荷は異なる。例えば、満水時（図（ｂ）中、実線で示す）と、渇水時（図（ｂ）中、点線で示す）とでは、ウインチ１０２に加わる負荷が異なる。このため、負荷に対する信頼性の高いウインチ１０２を用いる必要がある。
【０００７】
本発明の浮設ワイヤ調整装置および浮設ワイヤ設置方法は、上記課題に鑑みて完成されたものである。したがって、本発明は、ワイヤロスが少なく、岸にウインチ、アンカーなどの構造物を設置する必要がなく、比較的簡単に浮設ワイヤを設置でき、かつ比較的簡単に浮設ワイヤの張力を調整できる浮設ワイヤ調整装置および浮設ワイヤ設置方法を提供することを目的とする。
【課題を解決するための手段】
【０００８】
（１）上記課題を解決するため、本発明の浮設ワイヤ調整装置は、水面上に浮上し第一係合部を持つフロートと、該フロートから浮力を受け、水中または水面上に浮設される浮設ワイヤが接続される浮設ワイヤ用接続部と、第二係合部とを持つフロート側連結具と、水底に沈設されるウェイトと、該ウェイトに接続され、第三係合部を持つウェイト側連結具と、水上から、該第一係合部、該第二係合部、該第三係合部の順に係合する調整ワイヤと、を備えてなり、水上から、前記調整ワイヤを弛張させることにより、前記浮設ワイヤを調整することを特徴とする。
【０００９】
本発明の浮設ワイヤ調整装置によると、調整ワイヤを弛張させることにより、浮設ワイヤの張力を調整することができる。例えば、水位が下がる場合、水底のウェイトと水面上のフロートとの間隔は小さくなる。このため、調整ワイヤおよび浮設ワイヤが弛んでしまう。この場合、本発明の浮設ワイヤ調整装置によると、水上から調整ワイヤを引っ張ることにより、調整ワイヤおよび浮設ワイヤの弛みを除去することができる。すなわち、浮設ワイヤに所望の張力を加えることができる。また、例えば、水位が一定のまま浮設ワイヤの弛みを除去したい場合も、水上から調整ワイヤを引っ張ることにより、浮設ワイヤに張力を加えることができる。このように、本発明の浮設ワイヤ調整装置によると、比較的簡単に浮設ワイヤの張力を調整することができる。
【００１０】
また、本発明の浮設ワイヤ調整装置によると、水底に沈設されたウェイトが固定端となり浮設ワイヤが張られている。すなわち、浮設ワイヤは岸から独立している。このため、前出図１０のように、岸にウインチ１０２、アンカー１０５などの大がかりな構造物を別途配置する必要はない。また、浮設ワイヤの独立性により、前出図１０の区間Ａ１、Ａ２、Ｂ１、Ｂ２のように、岸から水面までの区間に浮設ワイヤを張る必要がない。すなわち、ワイヤロスが少ない。
【００１１】
（２）好ましくは、前記フロート側連結具には、補助ウェイトが接続されている構成とする方がよい。本構成によると、フロート側連結具は、フロートにより上方に、補助ウェイトにより下方に、それぞれ引っ張られる。このため、フロート側連結具つまり浮設ワイヤの水中安定性が高くなる。
【００１２】
（３）好ましくは、前記フロートと前記フロート側連結具との間には、スペーサが介装されている構成とする方がよい。本構成によると、スペーサ長だけ、フロート側連結具つまり浮設ワイヤを確実に水中に沈めることができる。すなわち、浮設ワイヤの水面からの設置深度を、所望の深度に調整することができる。
【００１３】
（４）好ましくは、前記ウェイトは、人力で投下可能な複数の軽量ウェイトからなる構成とする方がよい。本構成によると、人力でウェイトを水中に投下することができる。したがって、人力で浮設ワイヤを設置することができる。
【００１４】
（５）また、上記課題を解決するため、本発明の浮設ワイヤ設置方法は、水面上に浮上し第一係合部を持つフロートと、該フロートから浮力を受け、浮設ワイヤ用接続部と、第二係合部とを持つフロート側連結具と、水底に沈設されるウェイトと、該ウェイトに接続され、第三係合部を持つウェイト側連結具と、水上から、該第一係合部、該第二係合部、該第三係合部の順に係合する調整ワイヤと、を備えてなる一対の浮設ワイヤ調整装置の前記浮設ワイヤ接続部同士の間に介装された浮設ワイヤを、水中または水面上に設置する浮設ワイヤ設置方法であって、一対の前記浮設ワイヤ調整装置のうち、一方の該浮設ワイヤ調整装置の前記ウェイトを、水中に投下する始点ウェイト投下工程と、該ウェイトを始点として該ウェイトに近い方から順に前記浮設ワイヤを水中に投下するワイヤ投下工程と、一対の該浮設ワイヤ調整装置のうち、他方の該浮設ワイヤ調整装置の該ウェイトを、水中に投下する終点ウェイト投下工程と、一対の該浮設ワイヤ調整装置の前記調整ワイヤを、各々水上から弛張させることにより該浮設ワイヤの張力を調整する張力調整工程と、を有することを特徴とする。
【００１５】
本発明の浮設ワイヤ設置方法は、始点ウェイト投下工程とワイヤ投下工程と終点ウェイト投下工程と張力調整工程とを有している。始点ウェイト投下工程においては、一対の浮設ワイヤ調整装置のうち、一方の浮設ワイヤ調整装置のウェイトを、水中に投下する。ワイヤ投下工程においては、投下されたウェイトから遠ざかりつつ、このウェイトを持つ浮設ワイヤ調整装置に接続された方から順に、浮設ワイヤを水中に投下していく。終点ウェイト投下工程においては、浮設ワイヤの末端に接続された浮設ワイヤ調整装置のウェイトを、水中に投下する。こうして、一対の浮設ワイヤ調整装置、およびこれらの間に介装された浮設ワイヤの全てが水中に投下される。張力調整工程においては、一対の浮設ワイヤ調整装置の調整ワイヤを、各々水上から弛張させる。ここで、水底に沈設された一対のウェイト同士の間隔は不変である。このため、調整ワイヤの弛張により、浮設ワイヤの張力が調整される。
【００１６】
本発明の浮設ワイヤ設置方法によると、浮設ワイヤは岸から独立している。したがって、岸にウインチ１０２、アンカー１０５などの大がかりな構造物を別途配置する必要はない。また、前出図１０のＡ１、Ａ２、Ｂ１、Ｂ２のようなワイヤロスが少ない。
【発明の効果】
【００１７】
本発明によると、ワイヤロスが少なく、岸にウインチ、アンカーなどの構造物を設置する必要がなく、比較的簡単に浮設ワイヤを設置でき、かつ比較的簡単に浮設ワイヤの張力を調整できる浮設ワイヤ調整装置および浮設ワイヤ設置方法を提供することができる。
【発明を実施するための最良の形態】
【００１８】
以下、本発明の浮設ワイヤ調整装置および浮設ワイヤ設置方法の実施の形態について説明する。
【００１９】
（１）第一実施形態
まず、本実施形態の浮設ワイヤ調整装置の構成について説明する。図１に、本実施形態の浮設ワイヤ調整装置によりダム湖に設置されたカヌー競技コースの模式図を示す。（ａ）は上面図、（ｂ）は（ａ）の中央コースの側面図である。図に示すように、ダム湖には、合計九つのコース１が設置されている。各々のコース１は、合計十本の縦ワイヤ２により区画されている。縦ワイヤ２は、請求項１の浮設ワイヤに含まれる。縦ワイヤ２はＳＵＳ製である。縦ワイヤ２の直径はφ４〜６ｍｍ程度である。縦ワイヤ２の両端は、各々浮設ワイヤ調整装置３ａ、３ｂにより、引っ張られている。これら浮設ワイヤ調整装置３ａ、３ｂにより、縦ワイヤ２の張力が確保されている。縦ワイヤ２には、所定間隔ごとに樹脂製であって中空球状のワイヤフロート２０が配置されている。ワイヤフロート２０の浮力により、縦ワイヤ２は、水面上から所定深度の場所に、水面とほぼ平行に浮かんでいる。
【００２０】
また、各々のコース幅を均等に保つため、各々の縦ワイヤ２同士は、横ワイヤ４により連結されている。横ワイヤ４は、縦ワイヤ２に対して、ほぼ垂直に配置されている。横ワイヤ４はＳＵＳ製である。横ワイヤ４の直径はφ４〜６ｍｍ程度である。横ワイヤ４は、コース１の始点と中央点と終点とに、合計三本配置されている。
【００２１】
図２に、図１（ｂ）の始端２１側の浮設ワイヤ調整装置３ａの拡大図を示す。なお、浮設ワイヤ調整装置３ｂの構成は、浮設ワイヤ調整装置３ａの構成と同様である。したがって、浮設ワイヤ調整装置３ｂについては、説明を割愛する。図に示すように、浮設ワイヤ調整装置３ａは、主に、フロート３０ａとフロート側連結具３１ａとウェイト３２ａとウェイト側連結具３３ａと調整ワイヤ３４ａと補助ウェイト３５ａとスペーサ３６ａとを備えている。
【００２２】
フロート３０ａは、樹脂製であって中空球状を呈している。フロート３０ａには、上下方向に第一係合孔３００ａが穿設されている。第一係合孔３００ａは、請求項１の第一係合部に含まれる。
【００２３】
フロート側連結具３１ａは、ＳＵＳ製であってリング状を呈している。フロート３０ａとフロート側連結具３１ａとは、ＳＵＳ製であって円柱状のスペーサ３６ａを介して接続されている。フロート側連結具３１ａには、ＳＵＳ製の浮設ワイヤ用接続リング３１０ａと、ＳＵＳ製の補助ウェイト用接続リング３１１ａとが係合されている。浮設ワイヤ用接続リング３１０ａには、前記縦ワイヤ２の始端２１が接続されている。浮設ワイヤ用接続リング３１０ａは、請求項１の浮設ワイヤ用接続部に含まれる。また、フロート側連結具３１ａには、ＳＵＳ製の第二係合リング３１２ａが溶接されている。第二係合リング３１２ａは、請求項１の第二係合部に含まれる。補助ウェイト３５ａは、補助ウェイト用接続リング３１１ａに接続されている。補助ウェイト３５ａの質量は２０〜３０ｋｇ程度である。
【００２４】
ウェイト３２ａは、合計三つの軽量ウェイト３２０ａからなる。各々の軽量ウェイト３２０ａの質量は１５〜２０ｋｇ程度である。ウェイト側連結具３３ａは、ＳＵＳ製であってリング状を呈している。ウェイト側連結具３３ａは、請求項１の第三係合部に含まれる。ウェイト側連結具３３ａには、ＳＵＳ製のウェイト用接続リング３３０ａが係合されている。ウェイト用接続リング３３０ａには、前記三つの軽量ウェイト３２０ａがワイヤを介して接続されている。
【００２５】
調整ワイヤ３４ａは樹脂製である。調整ワイヤ３４ａの直径はφ１５〜２０ｍｍ程度である。調整ワイヤ３４ａの一端は、第一係合孔３００ａからフロート３０ａ上方に突出している。調整ワイヤ３４ａの突出部分には、第一係合孔３００ａの孔径よりも大きい結び目（図略）が形成されている。この結び目により、突出部分がフロート３０ａ内部に引き込まれるのを抑制している。調整ワイヤ３４ａの他端３４０ａは、第一係合孔３００ａおよび第二係合リング３１２ａを貫通し、ウェイト側連結具３３ａに固定されている。
【００２６】
次に、本実施形態の浮設ワイヤ調整装置の水位低下時における動きについて説明する。水位がＬ１からＬ２に低下すると、水位低下分だけ調整ワイヤ３４ａが弛んでしまう。したがって、フロート側連結具３１ａを介して、調整ワイヤ３４ａと接続されている縦ワイヤ２も弛んでしまう。そこで、図２中白抜き矢印で示すように、ボート５から調整ワイヤ３４ａの余剰分を引き取る。図に示すように、三つの軽量ウェイト３２０ａは湖底に沈設されている。このため、三つの軽量ウェイト３２０ａは不動である。したがって、調整ワイヤ３４ａの余剰分を引き取ると、図中白抜き矢印で示すように、フロート側連結具３１ａは、軽量ウェイト３２０ａに近接する方向に引っ張られる。ここで、フロート側連結具３１ａには、縦ワイヤ２の始端２１が接続されている。このため、縦ワイヤ２も、フロート側連結具３１ａとともに軽量ウェイト３２０ａに近接する方向に引っ張られる。前出図１に示すように、縦ワイヤ２の終端２２側の浮設ワイヤ調整装置３ｂにおいても、同様の動作により縦ワイヤ２が引っ張られる。したがって、縦ワイヤ２は両端側から引っ張られることになる。
【００２７】
図３に、調整ワイヤの余剰分引き取り後の浮設ワイヤ調整装置の拡大図を示す。図に示すように、第二係合リング３１２ａとウェイト側連結具３３ａとの間の間隔は、前出図２のＤ１からＤ２に狭まっている。狭まった分だけ、調整ワイヤ３４ａの余剰分が第一係合孔３００ａから上方へ引き取られている。また、調整ワイヤ３４ａが再度緩まないように、すなわち調整ワイヤ３４ａの余剰分が第一係合孔３００ａ内に戻らないように、余剰分には第一係合孔３００ａの孔径よりも大きい結び目が形成されている。調整ワイヤ３４ａの余剰分が引き取られることにより、縦ワイヤ２に所望の張力が加えられている。
【００２８】
次に、本実施形態の浮設ワイヤ設置方法により、縦ワイヤを設置する場合について説明する。浮設ワイヤ設置方法は、始点ウェイト投下工程とワイヤ投下工程と終点ウェイト投下工程と張力調整工程とを有している。始点ウェイト投下工程においては、図４に示すように、浮設ワイヤ調整装置３ａを構成する各部材を、人力によりボート５ａから水中に投下する。三つの軽量ウェイト３２０ａは、各々個別に水中に投下される。こうして、浮設ワイヤ調整装置３ａ全体が水中に配置される。ワイヤ投下工程においては、図４、図５に示すように、ウェイト３２ａを始点として、ボート５ａを対岸まで移動させる。この際、縦ワイヤ２は、浮設ワイヤ調整装置３ａに接続された始端２１から順に、水中に投下される。投下された縦ワイヤ２は、ワイヤフロート２０の浮力により水中を漂う。終点ウェイト投下工程においては、図５に示すように、縦ワイヤ２の終端２２に接続された浮設ワイヤ調整装置３ｂを構成する各部材を、人力によりボート５ａから水中に投下する。三つの軽量ウェイト３２０ｂは、各々個別に水中に投下される。こうして、浮設ワイヤ調整装置３ａ、縦ワイヤ２、浮設ワイヤ調整装置３ｂの全てが水中に配置される。張力調整工程においては、図６に示すように、ボート５ｂから人力により調整ワイヤ３４ａの余剰分を引き取る。図７に、図６の浮設ワイヤ調整装置３ａの拡大図を示す。図に示すように、三つの軽量ウェイト３２０ａは湖底に沈設されている。このため、三つの軽量ウェイト３２０ａは不動である。したがって、調整ワイヤ３４ａの余剰分をボート５ｂから引き取ると、フロート側連結具３１ａは、軽量ウェイト３２０ａに近接する方向に引っ張られる。ここで、フロート側連結具３１ａには、縦ワイヤ２の始端２１が接続されている。このため、縦ワイヤ２も、フロート側連結具３１ａとともに軽量ウェイト３２０ａに近接する方向に引っ張られる。前出図６に示すように、縦ワイヤ２の終端２２側の浮設ワイヤ調整装置３ｂにおいても、同様の動作によりボート５ａから縦ワイヤ２が引っ張られる。したがって、縦ワイヤ２は両端側から引っ張られることになる。このようにして、縦ワイヤ２に所望の張力が加えられる。所望の張力が得られたら、調整ワイヤ３４ａ、３４ｂが緩まないように、各々の調整ワイヤ３４ａ、３４ｂの一端に、第一係合孔の孔径よりも大きい結び目を形成する。
【００２９】
次に、本実施形態の浮設ワイヤ調整装置および浮設ワイヤ設置方法の効果について説明する。本実施形態の浮設ワイヤ調整装置３ａ、３ｂによると、調整ワイヤ３４ａ、３４ｂを弛張させることにより、縦ワイヤ２の張力を調整することができる。このため、水位に依らず、比較的簡単に縦ワイヤ２に所望の張力を加えることができる。
【００３０】
また、本実施形態の浮設ワイヤ調整装置３ａ、３ｂによると、水底に沈設されたウェイト３２ａ、３２ｂが固定端となり縦ワイヤ２が張られている。このため、岸に配置されたウインチなどを用いて縦ワイヤ２を張る必要はない。すなわち、縦ワイヤ２は岸から独立している。したがって、岸にウインチなどの大がかりな構造物を別途配置する必要はない。
【００３１】
また、本実施形態の浮設ワイヤ調整装置３ａ、３ｂによると、岸に対する縦ワイヤ２の独立性が確保されている。このため、前出図１０の区間Ａ１、Ａ２、Ｂ１、Ｂ２のようなワイヤロスがない。
【００３２】
また、前出図１０の区間Ａ１、Ａ２、Ｂ１、Ｂ２は水上に配置される。このため、コース１００端でカヌーがターンする際、区間Ａ１、Ａ２、Ｂ１、Ｂ２に干渉するおそれがあった。これに対し、本実施形態の浮設ワイヤ調整装置３ａ、３ｂによると、縦ワイヤ２は全長に亘って水没している。このため、ターンの際、カヌーが縦ワイヤ２に干渉するおそれがない。
【００３３】
また、本実施形態の浮設ワイヤ調整装置３ａのフロート側連結具３１ａには、補助ウェイト３５ａが接続されている。フロート側連結具３１ａは、フロート３０ａにより上方に、補助ウェイト３５ａにより下方に、それぞれ引っ張られる。このため、フロート側連結具３１ａ、縦ワイヤ２の水中安定性が高い。
【００３４】
また、本実施形態の浮設ワイヤ調整装置３ａのフロート３０ａとフロート側連結具３１ａとの間には、スペーサ３６ａが介装されている。このため、スペーサ３６ａの長さだけ、フロート側連結具３１ａつまり縦ワイヤ２を確実に水中に沈めることができる。すなわち、縦ワイヤ２の水面からの設置深度を、カヌーのパドルが干渉しないような所望の深度に調整することができる。
【００３５】
また、本実施形態の浮設ワイヤ調整装置３ａ、３ｂのウェイト３２ａ、３２ｂは、１５〜２０ｋｇ程度の三つの軽量ウェイト３２０ａ、３２０ｂに、それぞれ小分けされている。このため、人力で縦ワイヤ２を設置することができる。なお、軽量ウェイト３２０ａ、３２０ｂの質量を１５ｋｇ以上としたのは、１５ｋｇ未満だと、縦ワイヤ２に張力を加える際、沈設した軽量ウェイト３２０ａ、３２０ｂが湖底を動くおそれがあるからである。一方、軽量ウェイト３２０ａ、３２０ｂの質量を２０ｋｇ以下としたのは、２０ｋｇを超えると人力で投下しにくいからである。なお、軽量ウェイト３２０ａとウェイト用接続リング３３０ａとを連結するワイヤは、ウェイト投下時の水深以上の長さに設定する。
【００３６】
また、本実施形態の浮設ワイヤ設置方法によると、ボート５ａ、５ｂと人力のみで縦ワイヤ２を張ることができる。すなわち、コース１を設置することができる。したがって、ウインチなど大がかりな構造物は不要である。また、本実施形態の浮設ワイヤ設置方法によると、縦ワイヤ２が岸から独立している。このため、岸の形状に規制されずに、あらゆるレイアウトのコースを設置することができる。
【００３７】
（２）第二実施形態
本実施形態と第一実施形態との相違点は、縦ワイヤではなく横ワイヤに本発明の浮設ワイヤ調整装置および浮設ワイヤ設置方法が用いられている点である。したがって、ここでは相違点についてのみ説明する。
【００３８】
図８に、本実施形態の浮設ワイヤ調整装置により河川に設置されたカヌー競技コースの上面模式図を示す。なお、図１と対応する部位については同じ符号で示す。図に示すように、横ワイヤ４の両端には、一対の浮設ワイヤ調整装置３ｃ、３ｄが配置されている。横ワイヤ４は、請求項１の浮設ワイヤに含まれる。これら浮設ワイヤ調整装置３ｃ、３ｄにより、横ワイヤ４の張力が確保されている。横ワイヤ４には、所定間隔ごとに樹脂製であって中空球状のワイヤフロート４０が配置されている。ワイヤフロート４０の浮力により、横ワイヤ４は、水面から所定深度の場所に、水面とほぼ平行に浮かんでいる。横ワイヤ４の張力は、第一実施形態の縦ワイヤと同様に調整される。また、横ワイヤ４は、第一実施形態の縦ワイヤと同様の方法により設置される。また、本実施形態の浮設ワイヤ調整装置３ｃ、３ｄおよび浮設ワイヤ設置方法は、第一実施形態の浮設ワイヤ調整装置および浮設ワイヤ設置方法と同様の効果を有する。
【００３９】
（３）第三実施形態
本実施形態と第一実施形態との相違点は、調整ワイヤがウェイト側連結具で折り返してフロート側連結具に固定されている点である。また、円筒状のスペーサが使用されている点である。したがって、ここでは相違点についてのみ説明する。
【００４０】
図９に、本実施形態の始端側の浮設ワイヤ調整装置の拡大図を示す。なお、図２と対応する部位については、同じ符号で示す。また、終端側の浮設ワイヤ調整装置の構成は、以下に説明する始端側の浮設ワイヤ調整装置の構成と同様である。したがって、説明を割愛する。
【００４１】
図に示すように、調整ワイヤ３４ａは、ウェイト側連結具３３ａで折り返して、フロート側連結具３１ａに固定されている。すなわち、フロート側連結具３１ａには、調整ワイヤ用接続部３１３ａが配置されている。また、フロート３０ａとフロート側連結具３１ａとは、接続ワイヤ３０１ａにより連結されている。接続ワイヤ３０１ａには、ＳＵＳ製であって円筒状のスペーサ３６ａが環装されている。
【００４２】
フロート３０ａ上方から調整ワイヤ３４ａを引っ張ると、図中白抜き矢印で示すように、調整ワイヤ用接続部３１３ａおよびフロート側連結具３１ａを介して、縦ワイヤ２に張力が伝達される。すなわち、縦ワイヤ２の張力を調整することができる。縦ワイヤ２は、第一実施形態の縦ワイヤと同様の方法により設置される。また、本実施形態の浮設ワイヤ調整装置および浮設ワイヤ設置方法は、第一実施形態の浮設ワイヤ調整装置および浮設ワイヤ設置方法と同様の効果を有する。
【００４３】
（４）その他
以上、本発明の浮設ワイヤ調整装置および浮設ワイヤ設置方法の実施の形態について説明した。しかしながら、実施の形態は上記形態に特に限定されるものではない。当業者が行いうる種々の変形的形態、改良的形態で実施することも可能である。
【００４４】
例えば、縦ワイヤ２、横ワイヤ４、調整ワイヤ３４ａ、３４ｂの材質、径、断面形状などは特に限定しない。テープ状のものであってもよい。また、細線が束ねられたものであってもよい。また、チェーン状のものであってもよい。また、第一係合部、第二係合部、第三係合部の形状も特に限定しない。例えばフック状であってもよい。また、上記実施形態においては直線状のコース１を設置したが、例えば弧状に湾曲したコースを設置してもよい。また、本発明の浮設ワイヤ調整装置および浮設ワイヤ設置方法は、カヌー用のコースに限らずジェットスキー、ボート等のコースに用いることができる。また、コース設置用に限らず、例えば海苔など水産物養殖用のワイヤを設置する際にも用いることができる。また、縦ワイヤ２および横ワイヤ４の双方に、本発明の浮設ワイヤ調整装置および浮設ワイヤ設置方法を採用してもよい。
【図面の簡単な説明】
【００４５】
【図１】第一実施形態の浮設ワイヤ調整装置によりダム湖に設置されたカヌー競技コースの模式図である。
【図２】図１（ｂ）の始端側の浮設ワイヤ調整装置の拡大図である。
【図３】調整ワイヤの余剰分引き取り後の同浮設ワイヤ調整装置の拡大図である。
【図４】縦ワイヤ設置時の始点ウェイト投下工程を示す模式図である。
【図５】縦ワイヤ設置時のワイヤ投下工程および終点ウェイト投下工程を示す模式図である。
【図６】縦ワイヤ設置時の張力調整工程を示す模式図である。
【図７】図６の始端側の浮設ワイヤ調整装置の拡大図である。
【図８】第二実施形態の浮設ワイヤ調整装置により河川に設置されたカヌー競技コースの上面模式図である。
【図９】第三実施形態の始端側の浮設ワイヤ調整装置の拡大図である。
【図１０】従来のダム湖に設置されたカヌー競技コースの模式図である。
【符号の説明】
【００４６】
１：コース、２：縦ワイヤ（浮設ワイヤ）、２０：ワイヤフロート、２１：始端、２２：終端、３ａ：浮設ワイヤ調整装置、３ｂ：浮設ワイヤ調整装置、３ｃ：浮設ワイヤ調整装置、３ｄ：浮設ワイヤ調整装置、３０ａ：フロート、３００ａ：第一係合孔（第一係合部）、３０１ａ：接続ワイヤ、３１ａ：フロート側連結具、３１０ａ：浮設ワイヤ用接続リング（浮設ワイヤ用接続部）、３１１ａ：補助ウェイト用接続リング、３１２ａ：第二係合リング（第二係合部）、３１３ａ：調整ワイヤ用接続部、３２ａ：ウェイト、３２ｂ：ウェイト、３２０ａ：軽量ウェイト、３２０ｂ：軽量ウェイト、３３ａ：ウェイト側連結具、３３０ａ：ウェイト用接続リング、３４ａ：調整ワイヤ、３４０ａ：他端、３４ｂ：調整ワイヤ、３５ａ：補助ウェイト、３６ａ：スペーサ、４：横ワイヤ（浮設ワイヤ）、４０：ワイヤフロート、５：ボート、５ａ：ボート、５ｂ：ボート。
【図１】
2005095250.tif 000003
【図２】
2005095250.tif 000004
【図３】
2005095250.tif 000005
【図４】
2005095250.tif 000006
【図５】
2005095250.tif 000007
【図６】
2005095250.tif 000008
【図７】
2005095250.tif 000009
【図８】
2005095250.tif 000010
【図９】
2005095250.tif 000011
【図１０】
2005095250.tif 000012